(57)【要約】  構成を簡易にすることができる着脱装置、及び、それを用いたヒンジ装置を提供する。このため、本発明における着脱装置６は、ピン３が挿入されるための挿入孔６１と挿入孔６１に繋がると共に挿入孔６１の長手方向に垂直な方向に広がる収納空間６２とが形成されたケース６０と、挿入孔６１の長手方向に垂直な方向においてケース６０に押し込み可能なボタン８０と、ボタン８０をケース６０に対してボタン８０の押し込み方向と逆の方向に付勢するばね７０とを備え、ばね７０は、ピン３をロックするためのロック部７４を有する。ロック部７４は、ボタン８０が押し込まれない状態で挿入孔６１内に位置し、ボタン８０が押し込まれることで挿入孔６１内から収納空間６２内に移動する。
2015163065.tif 000002
【特許請求の範囲】
【請求項１】
ピンが挿入されるための挿入孔と前記挿入孔に繋がると共に前記挿入孔の長手方向に垂直な方向に広がる収納空間とが形成されたケースと、
前記挿入孔の長手方向に垂直な方向において前記ケースに押し込み可能なボタンと、
前記ボタンを前記ケースに対して前記ボタンの押し込み方向と逆の方向に付勢するばねと、
を備え、
前記ばねは、前記ピンをロックするためのロック部を有し、
前記ロック部は、前記ボタンが押し込まれない状態で前記挿入孔内に位置し、前記ボタンが押し込まれることで前記挿入孔内から前記収納空間内に移動する
ことを特徴とする着脱装置。
【請求項２】
前記ばねは線材から成り、
前記収納空間の少なくとも前記ロック部が移動する領域における前記挿入孔の長手方向での幅が前記線材の２本分の太さよりも小さい
ことを特徴とする請求項１に記載の着脱装置。
【請求項３】
前記ロック部の一方側に接続される部位は、少なくとも一部が前記収納空間内に位置し、前記ボタンが押し込まれることで前記収納空間内の前記挿入孔から離れる位置に移動して、前記ロック部を前記収納空間内に引き込む
ことを特徴とする請求項２に記載の着脱装置。
【請求項４】
前記ロック部は、直線状とされ、
前記ロック部の一方側に接続される前記部位は、前記ロック部の一端から他端までと重なる線と垂直な方向に前記ロック部を引き込む
ことを特徴とする請求項３に記載の着脱装置。
【請求項５】
前記ロック部の一方側に接続される前記部位は、前記挿入孔の径よりも小さい径で曲げられる小曲部とされ、
前記ばねは、前記小曲部における前記ロック部側と反対側に接続されると共に前記ロック部と平行に延在する平行延在部を有し、
前記平行延在部は、前記収納空間内において前記挿入孔よりも前記ロック部が移動する側に配置され、
前記平行延在部の前記小曲部側と反対側は、前記ボタンが押しこまれる際の押圧力により、前記収納空間内において前記挿入孔から離れるように前記ロック部の延在方向と垂直な方向に移動する
ことを特徴とする請求項４に記載の着脱装置。
【請求項６】
前記ばねは、前記挿入孔の径よりも大きな径で曲げられ前記ロック部の他方側に接続される大曲部を有し、
前記大曲部の前記ロック部側と反対側は前記ケースに固定される。
ことを特徴とする請求項４または５に記載の着脱装置。
【請求項７】
前記大曲部は、前記挿入孔の外周の少なくとも一部を囲むように配置される
ことを特徴とする請求項６に記載の着脱装置。
【請求項８】
前記ばねは、前記収納空間内において前記ケースに突き当てられるケース突き当て部を有し、
前記大曲部の前記ロック部側と反対側は、前記ケース突き当て部が前記ケースに固定されることで前記ケースに固定される
ことを特徴とする請求項６または７に記載の着脱装置。
【請求項９】
前記線材の断面の形状は円形である
ことを特徴とする請求項２から８のいずれか１項に記載の着脱装置。
【請求項１０】
請求項１から９のいずれか１項に記載の着脱装置と、
前記着脱装置の前記ケースと一体化されたケースを有し、当該ケース内に回転軸が挿入されると共に粘性液が充填されたロータリーダンパと、
を備える
ことを特徴とするヒンジ装置。
【発明の詳細な説明】
【技術分野】
【０００１】
本発明は、構成を簡易にすることができる着脱装置に関する。
【背景技術】
【０００２】
機器本体と蓋とを回動可能に軸支するヒンジ装置には、当該本体と蓋とを着脱可能とするものがある。下記特許文献１には、トイレの便器に対して便座及び便蓋を着脱可能とする着脱機構が記載されている。この着脱機構は、便器に取り付けられるべき固定部と、便座及び便蓋に取り付けられるヒンジ装置に設けられる着脱部とから成る。固定部には、周方向に沿って溝が形成されたピンが設けられている。一方着脱部は、ケースと、ケース内に配置されケースに対しスライド可能なシャフトと、シャフトを所定の方向に付勢するばねと、シャフトをばねの付勢力に逆らって押し込むボタンとを有する。ケースには、当該ピンが挿入される挿入孔が形成されている。【０００３】
便座及び便蓋を便器に取り付ける際には、固定部のピンをケースの挿入孔に挿入する。このとき、ピンを押し込む力により、シャフトがばねの付勢力に逆らってスライドする。そして、ピンとシャフトとが所定の位置関係となると、ばねの付勢力によりシャフトが元の方向に押し戻され、ピンに形成された溝にシャフトの一部分が入り込む。こうして、挿入孔に挿入されたピンがロックされ、固定部と着脱部とが互いにロックされる。【０００４】
一方、便座及び便蓋を便器から取り外すため固定部と着脱部とを外す際には、上記ボタンをばねの付勢力に逆らって押しこむ。するとピンの溝に入り込んでいるシャフトの一部が当該溝から外れる。このため、ピンのロック状態が解除され、ピンを挿入孔から抜き取ることが可能となる。こうして、固定部から着脱部を取り外すことができる。
【先行技術文献】
【特許文献】
【０００５】
【特許文献１】欧州特許出願公開第２３２４７４５号明細書
【発明の概要】
【発明が解決しようとする課題】
【０００６】
しかし、上記着脱部は、ピンを固定するケース内のシャフトがばねで付勢される構成とされ、シャフトとばねとを要する。しかし、更に部品点数を減らし、構成を簡易にしたいという要請がある。【０００７】
そこで、本発明は、構成を簡易にすることができる着脱装置、及び、それを用いたヒンジ装置を提供することを目的とする。
【課題を解決するための手段】
【０００８】
上記課題を解決するため本発明の着脱装置は、ピンが挿入されるための挿入孔と前記挿入孔に繋がると共に前記挿入孔の長手方向に垂直な方向に広がる収納空間とが形成されたケースと、前記挿入孔の長手方向に垂直な方向において前記ケースに押し込み可能なボタンと、前記ボタンを前記ケースに対して前記ボタンの押し込み方向と逆の方向に付勢するばねとを備え、前記ばねは、前記ピンをロックするためのロック部を有する。そして、前記ロック部は、前記ボタンが押し込まれない状態で前記挿入孔内に位置し、前記ボタンが押し込まれることで前記挿入孔内から前記収納空間内に移動する。
【発明の効果】
【０００９】
このような着脱装置によれば、ボタンが押しこまれない状態において、ばねのロック部が係合可能な溝等が設けられたピンが挿入孔に挿入されると、挿入孔内で当該溝等とロック部とが係合する。このため着脱装置とピンとは互いに固定される。また、ボタンが押しこまれるとロック部が収納空間内に移動するため、着脱装置とピンとの固定状態が解除される。このように本発明の着脱装置では、ボタンを付勢するばねの一部が、上記のようにピンを固定するロック部とされる。従って、上記特許文献に記載のヒンジ装置の着脱部と比べて、シャフトを不要とする分だけ構成を簡易にすることができる。
【図面の簡単な説明】
【００１０】
【図１】本発明の実施形態に係る着脱装置を用いた便座及び便蓋を示す図である。
【図２】図１のロータリーダンパの断面図である。
【図３】図１の着脱装置の分解斜視図である。
【図４】図１の着脱装置のピンに垂直な方向の断面図である。
【図５】図１の着脱装置のピンに平行な方向の断面図である。
【図６】着脱装置にピンが固定された様子を図５と同じ視点で示す断面図である。
【図７】着脱装置のボタンが押しこまれた状態を図４ と同じ視点で示す断面図である。
【発明を実施するための形態】
【００１１】
以下、本発明に係る着脱装置、及び、それを用いたヒンジ装置の好適な実施形態について図面を参照しながら詳細に説明する。
【００１２】
図１に示す便座１及び便蓋２は、一対のヒンジ装置４ａ，４ｂにより不図示の便器に軸支されている。ヒンジ装置４ａは、ロータリーダンパ５ａと着脱装置６とを備える。一方、ヒンジ装置４ｂは、ヒンジ装置４ａのロータリーダンパ５ａと異なる構成のロータリーダンパ５ｂと、ヒンジ装置４ａの着脱装置６と同様の構成の着脱装置６とを備える。また、便器には、一対の固定用のピン３が設けられている。これらのピン３がそれぞれの着脱装置６にロックされることで、上記のように便座１及び便蓋２がそれぞれのヒンジ装置４ａ，４ｂにより便器に軸支される。
【００１３】
それぞれのロータリーダンパ５ａ，５ｂは、便座１及び便蓋２を回動可能に軸支する。ロータリーダンパ５ａとロータリーダンパ５ｂとは、互いに同じ構成のトルク発生部５１を備えるが、ロータリーダンパ５ａの回転軸５２ａとロータリーダンパ５ｂの回転軸５２ｂとは互いに異なる構成とされる。
【００１４】
図２に示すように、ロータリーダンパ５ａのトルク発生部５１のケース５６内には回転軸５２ａが挿入されている。そして、ケース５６と回転軸５２ａとの間には粘性の液体が充填されている。このため、ケース５６に対し回転軸５２ａが回転すると当該液体のせん断抵抗が生じる。こうしてトルク発生部５１は、回転軸５２ａを軸支し、回転軸５２ａが回転する際に所定の回転抵抗を回転軸５２ａに付与する。また、回転軸５２ａは便蓋２に固定されている。このため便蓋２が回転軸５２ａの中心軸を基準に回動する場合に、回転軸５２ａは便蓋２と共に回転する。一方、トルク発生部５１は、便蓋２に対して回転軸５２ａを介して固定されている。従って、トルク発生部５１が着脱装置６を介して便器に固定された状態で、上記のように便蓋２が便器に対して回動しても、トルク発生部５１は回転せず、回転軸５２ａがトルク発生部５１に対して回転する。このときトルク発生部５１は回転軸５２ａに回転抵抗を与えるため、回転軸５２ａが固定される便蓋２は回転抵抗を受ける。こうして、便蓋２は、所定の抵抗を受けながら便器に対して開閉する。なお、回転軸５２ａには、上記のように便座１も回動可能に軸支されているが、回転軸５２ａは、便座１に対して空回転して便座１の回動に対し回転抵抗を与えない。
【００１５】
ロータリーダンパ５ａのトルク発生部５１が回転軸５２ａを軸支する構成と同様にして、ロータリーダンパ５ｂのトルク発生部５１は回転軸５２ｂを軸支する。従って、回転軸５２ｂは、トルク発生部５１に対して回転する際に所定の回転抵抗が付与される。また、回転軸５２ｂは便座１に固定されている。このため便座１が回転軸５２ｂの中心軸を基準に回動する場合に、回転軸５２ｂは便座１と共に回転する。一方、トルク発生部５１は、便座１に対して回転軸５２ｂを介して固定されている。従って、トルク発生部５１が着脱装置６を介して便器に固定された状態で、上記のように便座１が便器に対して回動しても、トルク発生部５１は回転せず、回転軸５２ｂがトルク発生部５１に対して回転する。このときトルク発生部５１は回転軸５２ｂに回転抵抗を与えるため、回転軸５２ｂが固定される便座１は回転抵抗を受ける。こうして、便座１は、所定の抵抗を受けながら便器に対して開閉する。なお、回転軸５２ｂには、上記のように便蓋２も回動可能に軸支されているが、回転軸５２ｂは、便蓋２に対して空回転して便蓋２の回動に対し回転抵抗を与えない。
【００１６】
また、ヒンジ装置４ａの着脱装置６は、ロータリーダンパ５ａのトルク発生部５１と一体とされ、ヒンジ装置４ｂの着脱装置６は、ロータリーダンパ５ｂのトルク発生部５１と一体とされている。図３〜５に示すように、着脱装置６は、ケース６０と、ばね７０と、ボタン８０とを備える。なお、これらの図は、着脱装置６にピン３が固定されていない状態を示す図である。また、図３は、理解の容易のため、ケース６０及びボタン８０を断面が見える状態で示して、ロータリーダンパを省略している。また、図５には挿入されるピン３が記載されている。
【００１７】
ヒンジ装置４ａにおける着脱装置６のケース６０は、ロータリーダンパ５ａと一体とされ、ヒンジ装置４ｂにおける着脱装置６のケース６０は、ロータリーダンパ５ｂと一体とされている。具体的には、ロータリーダンパ５ａ，５ｂのケース５６と着脱装置６のケース６０とが一体形成されている。ケース６０には、便器に固定されるピン３が挿入されるための挿入孔６１が形成されている。挿入孔６１は長手方向に垂直な形状が円形とされる孔である。また、ケース６０には、挿入孔６１の長手方向に垂直な方向に広がる収納空間６２が形成されている。具体的には、ケース６０のロータリーダンパ５側と反対側の側面の一部に開口６４が形成されており、その開口６４から収納空間６２が広がっている。また、挿入孔６１の長手方向に垂直な平面に沿って収納空間６２を見る場合に、収納空間６２は、図４に示すように、挿入孔６１を取り囲む略矩形状の外周形状をしている。そして、収納空間６２は、挿入孔６１と空間的に繋がっている。一方、挿入孔６１の長手方向に垂直な方向から見る場合に、収納空間６２は、挿入孔６１の長手方向に沿った幅が、後述するばね７０を構成する線材より僅かに大きい程度の大きさとされる。また、ケース６０には、上記開口６４を囲むようにして、後述のボタン８０と嵌合するための円筒状の内側嵌合部６３が設けられている。内側嵌合部６３の端部には、外周側に突出する凸部が形成されている。
【００１８】
ボタン８０は、円筒状の外側嵌合部８３と、外側嵌合部８３の一方の開口を塞ぐ押圧部８１とを有している。外側嵌合部８３の押圧部８１側と反対側の端部には、内周側に突出する凸部が形成されている。外側嵌合部８３は、ケース６０の内側嵌合部６３と嵌合している。すなわち、ボタン８０は、外側嵌合部８３がケース６０の内側嵌合部６３の外周面を囲むように配置されており、ケース６０に対してスライド可能とされている。また、内側嵌合部６３の上記凸部と外側嵌合部８３の上記凸部とが当接することで、通常使用時において、ボタン８０がケース６０から抜けない構成とされている。
【００１９】
ばね７０は、断面の形状が円形の線材から構成され、ケース突き当て部７１と、ケース突き当て接続部７２と、大曲部７３と、ロック部７４と、小曲部７５と、平行延在部７６と、ボタン突き当て接続部７７と、ボタン突き当て部７８とを含んで構成される。
【００２０】
ばね７０は一方の端部が僅かに曲げられており、ケース突き当て部７１は、この一方の端部に接続された略直線状の部位とされる。ケース突き当て部７１は、収納空間６２における開口６４側と反対側の隅において、ボタン８０のスライド方向と垂直な方向に延在するよう配置されており、収納空間６２を形成するケース６０の内壁に当接している。従って、ケース突き当て部７１が当接する当該内壁もボタン８０のスライド方向と垂直な方向に延在している。
【００２１】
ケース突き当て接続部７２は、ケース突き当て部７１に接続され、ケース突き当て部７１に垂直な方向、すなわちボタン８０のスライド方向に直線状に延在する部位とされる。また、ケース突き当て接続部７２は、ケース突き当て部７１が当接する内壁と垂直な方向に延在する内壁に沿って配置されている。このケース突き当て接続部７２が沿って配置される内壁は開口６４に繋がるが、ケース突き当て接続部７２は、当該内壁の途中まで延在し、開口６４までは延在しない。
【００２２】
大曲部７３は、ケース突き当て接続部７２に接続され、挿入孔６１の径よりも大きな径で曲げられ、ばね７０の中で最も大きな径で曲げられる部位とされる。また、大曲部７３は、挿入孔６１の外周の一部を囲むよう配置されており、大曲部７３の両端部は収納空間６２内に位置して、当該両端部の間の一部が開口６４から収納空間６２の外に突出している。なお、本実施形態では、大曲部７３は略１８０度曲げられ、挿入孔６１の外周の約半周を囲んでいる。
【００２３】
ロック部７４は、大曲部７３と所定の径に曲げられた部位を介して接続されている。ロック部７４は、直線状の部位とされ、ボタン８０のスライド方向と垂直な線とロック部７４の一端から他端までとが重なるような方向に延在している。例えば、ロック部７４の延在方向は、ボタン８０のスライド方向に垂直な方向とされる。また、ロック部７４は、ボタン８０がケース６０から最も離れた場所に位置している状態（後述のボタン８０が押し込まれていない状態）では、挿入孔６１内における挿入孔６１の径方向の中心から偏在した場所に位置している。本実施形態では、この挿入孔６１の中心から偏在した場所は、挿入孔６１の中心よりもボタン８０が押し込まれる方向の場所とされ、挿入孔６１の概ね端とされる。
【００２４】
小曲部７５は、ロック部７４に接続される。つまり、ロック部７４は、一方側が小曲部７５に接続され、他方側が大曲部７３に接続されている。小曲部７５は、ロック部７４と接続される部位を除き、その殆どが収納空間６２内の挿入孔６１よりもボタン８０が押し込まれる方向に位置している。そして、小曲部７５は、挿入孔６１の径よりも小さな径で挿入孔６１から離れる方向に曲げられる部位とされる。本実施形態では、小曲部７５は、線材の直径よりも大きな径で略１８０度曲げられている。
【００２５】
平行延在部７６は、小曲部７５のロック部７４側と反対側に接続され、ロック部７４と平行に延在する直線状の部位とされる。また、平行延在部７６は、収納空間６２内において、ロック部７４を基準としボタン８０が押し込まれる方向に配置され、ケース突き当て接続部７２が沿って配置される内壁と対向する内壁まで延在する。
【００２６】
ボタン突き当て接続部７７は、直線状の部位とされ、平行延在部７６と垂直でボタン８０のスライド方向に延在する。ボタン突き当て接続部７７は、ケース突き当て接続部７２が沿って配置される内壁と対向する内壁及び内側嵌合部６３の内壁に沿って配置され、ボタン８０の押圧部８１まで延在する。
【００２７】
ボタン突き当て部７８は、ボタン突き当て接続部７７に接続されている。ボタン突き当て部７８は互いに９０度に曲げられる３つの部位から成り、うち２つの部位は互いに平行とされ、他の１つの部位はこれら平行な部位のそれぞれの一端を平行な部位に９０度の方向に結ぶ。その結果、ボタン突き当て部７８は、片仮名のコ字状の形状をしている。そして、ボタン突き当て部７８の３つの部位は、ボタン８０の外側嵌合部８３で囲まれるようにして押圧部８１に当接している。
【００２８】
このような形状のばね７０が上記のようにケース６０内に配置され、ボタン８０が上記のようにケース６０に対してスライド可能に配置された状態で、ばね７０は、ボタン８０がケース６０から離れる方向（ボタン８０の押し込み方向と逆の方向）にボタン８０を付勢する。こうして、ボタン８０はケース６０に押し込み可能とされる。
【００２９】
次に、着脱装置６にピン３が固定される動作について説明する。
【００３０】
図５に示すように、ピン３は、先端にテーパ部３１が形成され、外周の一部に周方向の溝３２が形成された略円柱状の形状とされる。ピン３の径は、挿入孔６１の径よりも僅かに小さくされる。また、溝３２は、ばね７０を形成する線材が入り込むことができる幅及び深さとされる。
【００３１】
ピン３が挿入孔６１に挿入されていない状態において、図４，５に示すように、ロック部７４は、挿入孔６１内に位置する。この状態で、ピン３を挿入孔６１に挿入すると、ピン３のテーパ部３１がロック部７４に当接する。そして更にピン３を押し込むと、ピン３を押し込む力により、ばね７０の一部が撓んで、ロック部７４はテーパ部３１を滑りながら挿入孔６１内から収納空間６２内に移動する。このとき、ばね７０の少なくとも一部とケース６０の内壁とに、摩擦による抵抗が生じる場合がある。しかし、本実施形態のばね７０は断面の形状が円形とされるため、ばね７０と内壁とが線状に接して接触面積が小さい。従って、摩擦による抵抗が生じる場合であっても、当該抵抗を小さくすることができる。そして、ピン３を更に押し込み、ピン３とケース６０とが所定の位置関係となると、ピン３の溝３２が収納空間６２と並ぶ。本実施形態では、ピン３の先端が挿入孔６１の底を形成する内壁に当接した状態で、溝３２と収納空間６２とが並ぶ。このとき、図６に示すように、ばね７０の弾性力により、ロック部７４が挿入孔６１内に戻り、ロック部７４は溝３２内に位置する。こうしてロック部７４がピン３をロックして、着脱装置６とピン３とが固定される。従って、便座１と便蓋２とが、着脱装置６を介してピン６が設けられた便器に固定される。
【００３２】
次に、着脱装置６からピン３を抜き取る動作について説明する。
【００３３】
ピン３を挿入孔６１から抜き取る場合、まず、ボタン８０の押圧部８１を押圧して、ボタン８０をケース６０に対して押し込む。このとき、ばね７０のボタン突き当て部７８に押圧力が伝達し、ボタン突き当て部７８から当該押圧力は大曲部７３に伝達する。大曲部７３はばね７０の他の部位よりも大きな径で曲げられているため、ばね７０は主に大曲部７３の弾性変形により撓む。この大曲部７３の弾性変形により、図７に示すように、平行延在部７６は全体的に収納空間６２内において、ボタン８０の押し込み方向に沿って挿入孔６１から離れる方向に移動する。この平行延在部７６の移動により、小曲部７５も収納空間６２内においてボタン８０の押し込み方向に沿って挿入孔６１から離れる方向に移動する。そして、小曲部７５は、ロック部７４を収納空間６２内に引き込む。上記のようにロック部７４は、ボタン８０のスライド方向と垂直な線とロック部７４の一端から他端までとが重なるような方向に延在している。従って、小曲部７５は、ロック部７４の一端から他端までと重なる線と垂直な方向にロック部７４を引き込むこととなる。小曲部７５により引き込まれるロック部７４は、ピン３の溝３２内から抜け出て、挿入孔６１内から収納空間６２内に移動する。こうして、着脱装置６とピン３との固定状態が解除される。この状態において、ピン３を挿入孔６１から抜き取る。従って、便座１と便蓋２とが、ピン３が設けられた便器から外される。
【００３４】
以上説明したように、本実施形態の着脱装置６は、ピン３が挿入されるための挿入孔６１と挿入孔６１に繋がると共に挿入孔６１の長手方向に垂直な方向に広がる収納空間６２とが形成されたケース６０と、挿入孔６１の長手方向に垂直な方向においてケース６０に押し込み可能なボタン８０と、ボタン８０をケース６０に対してボタン８０の押し込み方向と逆の方向に付勢するばね７０とを備え、ばね７０は、ピン３をロックするためのロック部７４を有する。そして、ロック部７４は、ボタン８０が押し込まれない状態で挿入孔６１内に位置し、ボタン８０が押し込まれることで挿入孔６１内から収納空間６２内に移動する。
【００３５】
このように、着脱装置６では、ボタン８０を付勢するばね７０の一部により、ピン３が固定されるため、ボタン８０を付勢する部材と、ピン３をロックする部材とが別とされる場合よりも構成を簡易にすることができる。
【００３６】
また、本実施形態の着脱装置６では、ばね７０は線材から成るものとされる。そして、収納空間６２の挿入孔６１の長手方向における幅が全体的にばね７０を構成する線材より僅かに大きい程度の大きさとされる。従って、収納空間６２の少なくともロック部７４が移動する領域における挿入孔６１の長手方向での幅が線材の２本分の太さよりも小さい構成とされる。
【００３７】
ロック部７４を形成する線材の太さと収納空間６２におけるロック部７４が移動する領域の上記幅がこのような関係とされることにより、収納空間６２内において、ロック部７４の移動によりばね７０が交差することを防止することができる。従って、ボタン８０が押しこまれる際に、ロック部７４とばね７０の他の部位と交差することを防止することができ、ロック部７４を適切に挿入孔６１内から収納空間６２内に移動させることができる。このように、収納空間６２の少なくともロック部７４が移動する領域における挿入孔６１の長手方向での幅が線材の２本分の太さよりも小さい構成とされることが好ましく、上記実施形態のように、収納空間６２の挿入孔６１の長手方向における幅が全体的に線材の２本分の太さよりも小さいことが好ましい。しかし、収納空間６２の一部の領域における上記幅が線材の２本分の太さよりも小さい構成とされ、他の領域における上記幅が線材の２本分の太さよりも小さい構成とされなくても良い。
【００３８】
また、ロック部７４の一方側に接続される小曲部７５は、少なくとも一部が収納空間６２内に位置し、ボタン８０が押し込まれることで収納空間６２内の挿入孔６１から離れる位置に移動して、ロック部７４を収納空間６２内に引き込む構成とされる。さらに、ロック部７４は、直線状とされ、ロック部７４の一方側に接続される小曲部７５は、ロック部７４の一端から他端までと重なる線と垂直な方向にロック部７４を引き込む構成とされる。
【００３９】
このように収納空間６２内に配置される部位が、ロック部７４に接続されると共にロック部７４を収納空間６２内に引き込むため、ロック部７４が収納空間６２内に移動する際、上記のように収納空間６２の上記幅が小さく、さらに、ロック部７４がその延在方向と略垂直に移動するにも関わらず、ロック部７４がケース６０の内壁に引っ掛かることを抑制することができる。従って、ボタン８０を押しロック解除とする場合に、操作感を良好とすることができる。なお、ロック部７４に接続される部位は、小曲部とされずに他の形状とされても良い。また、ロック部７４が上記のように直線状とされなくても良い。
【００４０】
また、ロック部７４の一方側に接続される部位は、挿入孔６１の径よりも小さい径で曲げられる小曲部７５とされ、ばね７０は、小曲部７５におけるロック部７４側と反対側に接続されると共にロック部７４と平行に延在する平行延在部７６を有し、平行延在部７６は、収納空間６２内において挿入孔６１よりもロック部７４が移動する側に配置され、平行延在部７６の小曲部７５側と反対側は、ボタン８０が押しこまれる際の押圧力により、収納空間６２内において挿入孔６１から離れるようにロック部７４の延在方向と垂直な方向に移動する。
【００４１】
このように小曲部７５を介してロック部７４と平行な平行延在部７６が形成されることで、ロック部７４と平行延在部７６と小曲部７５とから成る部分が、実質的に片持ちの形状とされる。そして、平行延在部７６の小曲部７５側と反対側は、片持ち形状の端部となり、当該端部が移動することで、ロック部７４を含む当該片持ち形状部分全体を移動させる。このような片持ち形状の端部を移動させることは、両持ち形状のばねを移動させるよりも容易であるため、より簡易にロック部７４を移動させることができる。
【００４２】
また、ばね７０は、挿入孔６１の径よりも大きな径で曲げられロック部７４の他方側に接続される大曲部７３を有し、大曲部７３のロック部７４側と反対側はケース６０に固定される。さらにばね７０は、収納空間６２内においてケース６０に突き当てられるケース突き当て部７１を有し、大曲部７３のロック部７４側と反対側は、ケース突き当て部７１がケース６０に固定されることでケース６０に固定される。
【００４３】
このような大曲部７３は、他の部位に比べて大きく弾性変形してばね力を発揮することができる。一方このような大曲部７３がロック部７４よりもボタン８０側に設けられると、上記のように弾性変形する大曲部７３によりロック部７４が移動しづらい。従って、大曲部７３がこのように配置され、上記のようにケース６０に固定されることで、ロック部７４をより適切に移動させることができる。
【００４４】
また、大曲部７３は、挿入孔６１の外周の少なくとも一部を囲むように配置される。このように大曲部７３が配置される場合、他の場所に大曲部７３が配置されるよりも、着脱装置６全体を小型化することができる。
【００４５】
また、ばね７０を形成する線材の断面の形状は円形である。このため、ばね７０がケース６０の内壁と当接する場合であっても、ばね７０とケース６０との接触面積を小さくすることができる。従って、ばね７０とケース６０との摩擦抵抗を小さくすることができる。
【００４６】
また、本実施形態のヒンジ装置５ａ，５ｂは、着脱装置６と、着脱装置６のケース６０と一体化されたケース５６を有し、ケース５６内に回転軸５２ａ（５２ｂ）が挿入されると共に粘性液が充填されたロータリーダンパ５ａ（５ｂ）とを備える。従って、簡易な構成でヒンジ装置５ａ，５ｂが軸支する筐体や蓋体等への着脱を行うことができる。例えば、上記実施形態のヒンジ装置５ａ，５ｂは、便器への着脱が容易とされ、便座１や便蓋２をヒンジ装置５ａ，５ｂを介して固定することができる。
【００４７】
以上、本発明について、上記実施形態を例に説明したが、本発明はこれらに限定されるものではない。
【００４８】
例えば、上記実施形態において、ばね７０の断面の形状は円形でなくても良く、さらにばね７０が線材から成るものでなくても良い。例えば、ばね７０は、ボタン８０が押し込まれない状態で挿入孔６１内に位置し、ボタン８０が押し込まれることで挿入孔６１内から収納空間６２内に移動するロック部７４を有する限りにおいて、板ばねから形成されても良い。従って、ばね７０が上記実施形態のように線材から成る場合であっても、その形状は、上記実施形態と同じ形状とされる必要はない。
【産業上の利用可能性】
【００４９】
以上説明したように、本発明によれば、構成を簡易にすることができる着脱装置、及び、それを用いたヒンジ装置が提供され、本体と蓋体との着脱等を行う機器に利用することができる。
【符号の説明】
【００５０】
１・・・便座
２・・・便蓋
３・・・ピン
４ａ，４ｂ・・・ヒンジ装置
５ａ，５ｂ・・・ロータリーダンパ
６・・・着脱装置
５１・・・トルク発生部
５２ａ，５２ｂ・・・回転軸
６０・・・ケース
６１・・・挿入孔
６２・・・収納空間
７０・・・ばね
７４・・・ロック部
８０・・・ボタン
【図１】
2015163065.tif 000003
【図２】
2015163065.tif 000004
【図３】
2015163065.tif 000005
【図４】
2015163065.tif 000006
【図５】
2015163065.tif 000007
【図６】
2015163065.tif 000008
【図７】
2015163065.tif 000009
【国際調査報告】
2015163065.tif 000010
2015163065.tif 000011
2015163065.tif 000012
2015163065.tif 000013